(57)【要約】      （修正有）【課題】ネットワーク側とＵＥとの間のタイミングを整合させるようにＤＲＸタイマの構成を決定する方法及びワイヤレスデバイスを提供する。【解決手段】ワイヤレスデバイスによる方法は、間欠受信であるＤＲＸタイマの時間単位を、複数のヌメロロジーに関連付けられている複数のスケジューリング単位に基づき決定し、単位時間に基づいてＤＲＸタイマの持続時間に関連づけられた時間間隔を決定する。ＤＲＸタイマは、ＨＡＲＱ  ＲＴＴタイマ、ＤＲＸ再送タイマ、ＤＲＸ  ＵＬ再送タイマの１つである。【選択図】図２
2022000965.tif 000002
【特許請求の範囲】
【請求項１】
ワイヤレスデバイスにおいて実施される方法であって、
間欠受信であるDRXタイマの時間単位を複数のスケジューリング単位に基づき決定することであって、前記DRXタイマの時間単位は前記複数のスケジューリング単位に依存し、前記複数のスケジューリング単位は複数のヌメロロジーに関連付けられている、ことと、
前記時間単位に基づく前記DRXタイマによって示される時間間隔を決定することであって、前記時間間隔は前記DRXタイマの時間の持続時間に関連付けられている、ことと
を有する方法。
【請求項２】
請求項１に記載の方法であって、前記DRXタイマは、
HARQ RTT タイマ、
drx-RetransmissionTimer、
drx-ULRetransmissionTimer
のうちの一つである、方法。
【請求項３】
請求項１に記載の方法であって、前記複数のヌメロロジーは、それぞれの複数のキャリアに関連付けられ、前記DRXタイマの時間単位は、前記複数のキャリア内のキャリアに関連付けられる方法。
【請求項４】
請求項１に記載の方法であって、前記DRXタイマの時間単位は、複数のHARQプロセスにおけるハイブリッド自動再送要求であるHARQプロセスに関連付けられ、前記DRXタイマの時間単位を決定することは、
前記HARQプロセスに関連するスケジューリング単位の設定を決定することと、
前記HARQプロセスに関連するスケジューリング単位の設定に基づいて前記DRXタイマの前記時間単位を決定することと、
を有する方法。
【請求項５】
請求項１に記載の方法であって、前記DRXタイマの前記時間単位は、複数のHARQプロセスにおけるHARQプロセスの再送信に関連付けられており、前記DRXタイマの前記時間単位を決定することは、
前記HARQプロセスの前記再送信に関連するスケジューリング単位の設定を決定することと、
前記HARQプロセスの前記再送信に関連する前記スケジューリング単位の前記設定に基づいて前記DRXタイマの前記時間単位を決定することと、を有する方法。
【請求項６】
請求項１に記載の方法であって、１つのDRXタイマの時間単位が、別のDRXタイマの時間単位と同じであるか、または異なっている方法。
【請求項７】
ワイヤレスデバイスであって、
プロセッサと、
前記プロセッサに結合され、命令を格納する記憶装置とを有し、前記命令は前記プロセッサによって実行されると前記ワイヤレスデバイスにアクションを実行させるものであり、前記アクションは、
間欠受信であるDRXタイマの時間単位を複数のスケジューリング単位に基づき決定することであって、前記DRXタイマの時間単位は前記複数のスケジューリング単位に依存し、前記複数のスケジューリング単位は複数のヌメロロジーに関連付けられている、ことと、
前記時間単位に基づく前記DRXタイマによって示される時間間隔を決定することであって、前記時間間隔は前記DRXタイマの時間の持続時間に関連付けられている、こととを有するワイヤレスデバイス。
【請求項８】
請求項７に記載のワイヤレスデバイスであって、前記DRXタイマは、
HARQ RTT タイマ、
drx-RetransmissionTimer、
drx-ULRetransmissionTimer
のうちの一つである、ワイヤレスデバイス。
【請求項９】
請求項７に記載のワイヤレスデバイスであって、前記複数のヌメロロジーは、それぞれの複数のキャリアに関連付けられ、前記DRXタイマの時間単位は、前記複数のキャリア内のキャリアに関連付けられる、ワイヤレスデバイス。
【請求項１０】
請求項７に記載のワイヤレスデバイスであって、前記DRXタイマの前記時間単位は、複数のHARQプロセスにおけるハイブリッド自動再送要求であるHARQプロセスに関連付けられ、前記DRXタイマの時間単位を決定することは、
前記HARQプロセスに関連するスケジューリング単位の設定を決定することと、
前記HARQプロセスに関連するスケジューリング単位の設定に基づいて前記DRXタイマの前記時間単位を決定することと、
を有するワイヤレスデバイス。
【請求項１１】
請求項７に記載のワイヤレスデバイスであって、前記DRXタイマの前記時間単位は、複数のHARQプロセスにおけるHARQプロセスの再送信に関連付けられ、前記DRXタイマの前記時間単位を決定することは、
前記HARQプロセスの前記再送信に関連するスケジューリング単位の設定を決定することと、
前記HARQプロセスの前記再送信に関連する前記スケジューリング単位の前記設定に基づいて前記DRXタイマの前記時間単位を決定することと、を有するワイヤレスデバイス。
【請求項１２】
請求項７に記載のワイヤレスデバイスであって、１つのDRXタイマの時間単位が、別のDRXタイマの時間単位と同じであるか、または異なるワイヤレスデバイス。
【請求項１３】
少なくとも１つのプロセッサ上で実行されると、前記少なくとも１つのプロセッサに、請求項１から６のいずれか１項に記載の方法を実行させる命令が格納されたコンピュータ可読媒体。
【発明の詳細な説明】
【技術分野】
【０００１】
本開示の実施形態は、一般に、通信の分野に関し、より詳細には、間欠受信（DRX）タイマの構成を決定するための方法およびデバイスに関する。
【背景技術】
【０００２】
従来、LTE(ロングタームエボリューション)では、UE(ユーザ装置)が間欠受信を実行するように構成される場合があるが、間欠受信を動作させるためには、非常に多くのタイマを設定する必要がある。DRXに関連するタイマは、集合的にDRXタイマと呼ばれることがあり、例えば、onDurationTimer（オンデュレーションタイマ）、drx-InactivityTimer（drxインアクティビティタイマ）、drx-RetransmissionTimer（drx再送タイマ）などを含むことがある。LTEでは、すべてのDRXタイマの時間単位は、スケジューリング単位、すなわち、１msの時間長を有するサブフレームまたはTTI(Transmission Time Interval)と同じである。
【０００３】
次世代ネットワーク、例えば、NR(New Radio)では、UEは、同様にDRXをサポートする必要があり、おそらく、LTEと同様のDRX機構を使用する。言い換えれば、NRでDRXを動作させるために設定される必要があるDRXタイマは、非常に多く存在し得る。LTEとは異なり、NRニーズは、異なるヌメロロジーおよび／またはTTI長をサポートする。異なるヌメロロジー／TTI長さの絶対時間は異なる。例として、１５kHzサブキャリア間隔（SCS）のヌメロロジーの場合、対応するTTI長は１msである。３０kHz SCSのヌメロロジーでは、そのTTI長は０．５msである。
【０００４】
NRの場合、TTIは、１４個のOFDMシンボルを含む通常のTTIよりも少ない直交周波数分割多重（OFDM）シンボルを含む、より短い送信持続時間を有することができる。例えば、UEは、１４個のOFDMシンボルを備える通常のTTIではなく、７個のOFDMシンボルを備えるスロットにおいてスケジュールされるように構成され得る。さらに短いスロット、例えば、２つのOFDMシンボルを含むミニスロットも同様に使用され得る。
【０００５】
NR内のDRXタイマがLTEと同じように構成される場合、すなわち、すべてのタイマの時間単位が同じTTI長に従って設定される場合、それは、いくらかの混乱を引き起こす。より具体的には、１５kHzのヌメロロジーのためのスケジューリング単位は１msであり、３０kHzのヌメロロジーのためのスケジューリング単位は０．５msであるので、DRXタイマが数値の５を有する場合、１５kHzのヌメロロジーのための５msを示すが、３０kHzのヌメロロジーのための２．５msを示す。そのような場合、UEは、DRXタイマによって実際に示される時間間隔、DRXタイマがアクティブであるべきとき、またはDRXタイマがスリープであるべきときについて不明確となりうる。これは、ネットワーク（NW）側とUEとの間の不整合問題を引き起こす。例えば、UEがスリープしているにもかかわらず、NWがUEがアクティブであると考えてしまうとUEはNWからのスケジューリングを失うことがあり、または実際にUEがアクティブであるにもかかわらず、UEがスリープしているとNWが考えてしまうときに、UEは電力を浪費してしまうだろう。したがって、伝送効率およびネットワーク性能が低下する。
【発明の概要】
【０００６】
一般に、本開示の実施形態は、上述のDRXタイマ不整合問題を解決するための解決策を提供する。
【０００７】
第一の観点によれば、ワイヤレスデバイスにおいて実施される方法が提供される。ワイヤレスデバイスは、DRXタイマと異なるスケジューリング単位との間の関係を決定し、決定された関係に基づいてDRXタイマの時間単位を決定する。そして、ワイヤレスデバイスは、時間単位に基づいて、DRXタイマが示す時間間隔を算出する。対応するコンピュータプログラムも提供される。
【０００８】
一実施形態では、DRXタイマと異なるスケジューリング単位との関係を決定することは、DRXタイマが異なるスケジューリング単位に対して整列の必要があるかどうかを決定することを含むことができる。
【０００９】
一実施形態では、DRXタイマの時間単位を決定することは、DRXタイマが異なるスケジューリング単位に対して整列の必要があると決定することに応答して、DRXタイマの時間単位を所定の値として決定することと、所定のヌメロロジーに基づいてDRXタイマの時間単位を決定することと、現在使用されているヌメロロジーに基づいてDRXタイマの時間単位を決定することと、ネットワークデバイスから受信されたインジケーション（指示）に基づいてDRXタイマの時間単位を決定することとのうちの少なくとも１つを実行することを含むことができ、指示は、ネットワークデバイスによって構成された時間単位の値を示す。
【００１０】
一実施形態では、現在使用されているヌメロロジーに基づいてDRXタイマの時間単位を決定することは、ワイヤレスデバイスのプライマリセルおよびセカンダリセルによって使用されるヌメロロジーに関する情報を取得することと、プライマリセルによって使用されるヌメロロジーに基づいてDRXタイマの時間単位を決定することとを含み得る。
【００１１】
一実施形態では、DRXタイマの時間単位を決定することは、DRXタイマが異なるスケジューリング単位に対して整列の必要がないとの決定に応答して、異なるキャリアによって使用されるヌメロロジーに関する情報を取得することと、ヌメロロジーに基づいて異なるキャリアのためのDRXタイマの時間単位を決定することとを含み得る。
【００１２】
一実施形態では、DRXタイマの時間単位を決定することは、DRXタイマが異なるスケジューリング単位に対して整列の必要がないと決定することに応答して、異なるハイブリッド自動再送要求（HARQ）プロセスによって使用されるスケジューリング単位に関する情報を取得することと、スケジューリング単位に関する情報に基づいて異なるHARQプロセスのためのDRXタイマの時間単位を決定することとを含むことができる。
【００１３】
一実施形態では、DRXタイマの時間単位を決定することは、DRXタイマが異なるスケジューリング単位に関して整列の必要がないと決定することに応答して、HARQプロセスにおいて異なるHARQ送信によって使用されるスケジューリング単位に関する情報を取得することと、スケジューリング単位に関する情報に基づいて異なるHARQ送信のためのDRXタイマの時間単位を決定することとを含み得る。
【００１４】
第２の態様では、ワイヤレスデバイスにおいて実装される装置が提供される。この装置は、決定ユニットと計算ユニットとを含む。決定ユニットは、DRXタイマと異なるスケジューリング単位との間の関係を決定し、決定された関係に基づいてDRXタイマの時間単位を決定するように構成される。計算ユニットは、時間単位に基づいて、DRXタイマによって示される時間間隔を計算するように構成される。
【００１５】
第３の態様では、ワイヤレスデバイスが提供される。ワイヤレスデバイスは、プロセッサおよび記憶装置を含む。記憶装置は、プロセッサによって実行可能な命令を含み、プロセッサは、本開示の第１の態様による方法をワイヤレスデバイスに実行させるように適合される。
【００１６】
本開示の実施形態によれば、ワイヤレスデバイスは、異なるスケジューリング単位に対するその関係に従って、DRXタイマの時間単位を決定する。したがって、UEが複数のヌメロロジー／TTI長をサポートする場合、ネットワークデバイスと端末デバイスとの間には、DRXタイマによって示される持続時間の共通の理解が存在する。ネットワークデバイスと端末デバイスとの間の通信は、DRXタイマの共通の理解に基づいて行うことができる。これにより、伝送効率およびネットワーク性能を効果的に向上させることができる。
【図面の簡単な説明】
【００１７】
本開示の様々な実施形態の上記および他の態様、特徴、および利益は、例として、添付の図面を参照した以下の詳細な説明から、より完全に明らかになるであろうが、そこでは同一または均等な要素を指し示すために参照番号、文字などが使用されている。図面は、本開示の実施形態のより良い理解を容易にするために図示されており、必ずしも一定の縮尺で描かれていない。
【図１】図１は、無線通信ネットワークの概略図１００を示す。
【図２】図２は、本開示の一実施形態による、DRXタイマの構成を決定する方法２００のフローチャートを示す。
【図３】図３は、本開示の一実施形態による、DRXタイマの構成を決定する方法３００のフローチャートを示す。
【図４Ａ】図４Ａは、従来技術による、異なるヌメロロジーを使用する異なるキャリアのためのDRXタイマの構成の図４００を示す。
【図４Ｂ】図４Ｂは、本開示の実施形態による、異なるヌメロロジーを使用する異なるキャリアのためのDRXタイマの構成の図４１０を示す。
【図５】図５は、本開示の一実施形態によるワイヤレスデバイスにおいて実装される装置５００のブロック図を示す。
【図６】図６は、本開示の実施形態を実装する際に使用するのに適したワイヤレスデバイスの簡略化されたブロック図６００を示す。
【発明を実施するための形態】
【００１８】
ここで、本開示は、いくつかの例示的な実施形態を参照して説明される。これらの実施形態は、本開示の範囲に対する任意の制限を示唆するのではなく、当業者が本開示をよりよく理解し、したがって実施することを可能にする目的のためにのみ説明されることを理解されたい。
【００１９】
本明細書で使用されるように、「無線通信ネットワーク」という用語は、LTE-A（LTE-Advanced）、LTE、WCDMA（登録商標）(Wideband Code Division Multiple Access)、HSPA（High-Speed Packet Access)などである。さらに、無線通信ネットワーク内の端末デバイスとネットワークデバイスとの間の通信は、第１世代（１Ｇ）、第２世代（２Ｇ）、２．５Ｇ、２．７５Ｇ、第３世代（３Ｇ）、第４世代（４Ｇ）、４．５Ｇ、将来の第５世代（５Ｇ）通信プロトコル、および／または現在知られているか、または将来開発される任意の他のプロトコルを含むいずれかの適切な世代の通信プロトコルにしたがって実行されるが、これらに限定されわけではない。
【００２０】
用語「ワイヤレスデバイス」は、無線通信ネットワーク内のネットワークデバイスまたは端末デバイスを指す。
【００２１】
「ネットワークデバイス」という用語は、端末デバイスがそれを介してネットワークにアクセスし、そこからサービスを受信する、無線通信ネットワーク内のデバイスを指す。ネットワークデバイスは、基地局（BS）、アクセスポイント（AP）、モバイル管理エンティティ（MME）、マルチセル／マルチキャストコーディネーションエンティティ（MCE）、ゲートウェイ、サーバ、コントローラ、または無線通信ネットワーク内の任意の他の適切なデバイスを指す。BSは、例えば、ノードB (NodeBまたはNB）、進化型ノードB (eNodeBまたはeNB）、リモート無線ユニット（RRU）、無線ヘッダ（RH）、リモート無線ヘッド（RRH）、リレー、フェムト、ピコなどの低電力ノードなどであり得る。
【００２２】
ネットワークデバイスのさらに別の例は、MSR BSなどのマルチ標準規格無線（MSR）無線機器、無線ネットワークコントローラ（RNC）または基地局コントローラ（BSC）などのネットワークコントローラ、ベーストランシーバステーション（BTS）、送信ポイント、送信ノード、マルチセル／マルチキャストコーディネーションエンティティ（MCE）、コアネットワークノード（例えば、MSC、MME）、O＆Mノード、OSSノード、SONノード、測位ノード（例えば、E-SMLC）、および／またはMDTを含む。しかし、より一般的には、ネットワークデバイスは、無線通信ネットワークへの端末デバイスアクセスを可能にし、かつ／または提供するために、または無線通信ネットワークにアクセスした端末デバイスに何らかのサービスを提供するために、能力、構成、配置、および／または動作可能な任意の適切なデバイス（またはデバイスのグループ）を表すことができる。
【００２３】
用語「端末デバイス」は、無線通信ネットワークにアクセスし、そこからサービスを受信することができる任意のエンドデバイスを指す。限定ではなく例として、端末デバイスは、モバイル端末、UE、または他の適切なデバイスを指す。UEは、例えば、加入者局（SS）、ポータブル加入者局、移動局（MS）、またはアクセス端末（AT）であってもよい。端末デバイスは、ポータブルコンピュータ、デジタルカメラなどの画像キャプチャ端末デバイス、ゲーム端末デバイス、音楽記憶再生機器、セルラーフォン、モバイルフォン、スマートフォン、タブレット、ウェアラブルデバイス、携帯情報端末（PDA）、車両などを含むことができるが、これらに限定されない。
【００２４】
端末デバイスは、例えば、サイドリンク通信のための３ＧＰＰ標準規格を実装することによって、装置間（Ｄ２Ｄ）通信をサポートすることができ、この場合、Ｄ２Ｄ通信装置と呼ばれることができる。
【００２５】
さらに別の特定の例として、IOT(Internet of Things)シナリオでは、端末デバイスは、監視および／または測定を実行し、そのような監視および／または測定の結果を別の端末デバイスおよび／またはネットワーク機器に送信するマシンまたは他の装置を表すことができる。この場合、端末デバイスは、３ＧＰＰコンテキストにおいてマシンタイプ通信（MTC）装置と呼ばれ得るマシンツーマシン（Ｍ２Ｍ）装置であり得る。１つの特定の例として、端末デバイスは、３ＧＰＰ狭帯域インターネット・オブ・シングス（NB-IoT）標準規格を実装するUEであってもよい。そのようなマシンまたは装置の特定の例は、センサ、電力計などの測定装置、産業マシン、または家庭もしくは個人機器、例えば、冷蔵庫、テレビ、腕時計などの個人ウェアラブルである。他のシナリオでは、端末デバイスは、その動作状態またはその動作に関連する他の機能を監視および／または報告することができる車両または他の機器を表すことができる。
【００２６】
本明細書で使用されるように、単数形「a」および「an」は、コンテキストが明確にそうでないことを示さない限り、複数形も含むことが意図される。用語「備える」、「備える」、「有する」、「有する」、「含む」、および／または「含む」は、本明細書で使用されるように、述べられた特徴、成分、および／または構成成分などの存在を指定するが、１つまたは複数の他の特徴、成分、構成成分、および／またはそれらの組合せの存在または追加を排除するものではない。「〜に基づく」という用語は、「〜に少なくとも部分的に基づく」と解釈されるべきである。用語「１つの実施形態」および「１つの実施形態」は、「少なくとも１つの実施形態」として読まれるべきである。用語「別の実施形態」は、「少なくとも１つの他の実施形態」として読まれるべきである。明示的および暗示的な他の定義を以下に含めることができる。
【００２７】
次に、本開示のいくつかの例示的な実施形態を、図面を参照して以下に説明する。まず、無線通信ネットワークの概略図１００を示す図１を参照する。ここでは、無線通信ネットワークにおけるネットワークデバイス１０１と端末デバイス１０２とを示している。
【００２８】
図１の構成は、本開示の範囲に関していかなる限定も示唆することなく、単に例示の目的のために記載されていることを理解されたい。当業者は、無線通信ネットワーク１００が、任意の適切な数の端末デバイスおよび／またはネットワークデバイスを含み得、他の適切な構成を有し得ることを理解する。いくつかの実施形態では、ネットワークデバイス１０１は、端末デバイス１０２以外の１つまたは複数の端末デバイスと通信することができる。
【００２９】
図１に示す無線通信ネットワークでは、電力を節約するために、間欠受信（DRX）の概念が採用されている。DRXは、端末デバイス１０２のようなワイヤレスデバイスが、ネットワークデバイス１０１のような送信局から通信される物理ダウンリンク制御チャネル（PDCCH）のような制御チャネルを不連続に監視することを可能にするために使用されることができる。不連続監視は、端末デバイス１０２における受信機をオフにすることができるので、端末デバイス１０２において著しい電力節約を提供することができる。
【００３０】
従来、全てのDRXタイマの時間単位は、スケジューリング単位、すなわち、１msの時間長を有するサブフレームまたはTTIと同一である。しかし、ワイヤレスデバイスが複数のヌメロロジーおよび／またはスケジューリング単位をサポートする場合、ワイヤレスデバイスは、それぞれ、DRXタイマによって実際に示される時間間隔について不明確であり得る。ネットワークデバイスと端末デバイスは、同じDRXタイマによって示される持続時間を共通に理解することができない。このように、DRXタイマの不整合問題が発生し、伝送効率及びネットワーク性能が低下する。
【００３１】
上記および他の潜在的な問題を解決するために、本開示の実施形態は、DRXタイマ不整合問題を解決するための解決策を提供する。提案された解決策では、ワイヤレスデバイスは、DRXタイマと異なるスケジューリング単位（すなわち、異なるTTI長）との間の関係を決定する。この関係から、ワイヤレスデバイスは、DRXタイマが異なるスケジューリング単位に対して整列の必要があるかどうかを理解することができる。そして、ワイヤレスデバイスは、その関係に基づいてDRXタイマの時間単位を決定し、その時間単位に基づいてDRXタイマが示す時間間隔を算出する。このようにして、UEが複数のヌメロロジー／TTI長をサポートする場合に、DRXタイマによって示される持続時間のネットワークデバイスと端末デバイスとの間の共通の理解に到達することが可能である。このように、ネットワークデバイスと端末デバイスとの間の通信は、DRXタイマの共通の理解に基づいて行うことができる。
【００３２】
本開示の実施形態のさらなる詳細は、以下の図２〜図６を参照して説明される。図２は、本開示の一実施形態によるダウンリンク制御情報を送信する方法２００のフローチャートを示す。方法２００によって、従来のアプローチにおける上記および他の潜在的な欠陥を克服することができる。方法２００は、ネットワークデバイス１０１、端末デバイス１０２、または他の適切なデバイスなどのワイヤレスデバイスによって実装され得ることが、当業者によって理解されるであろう。
【００３３】
方法２００は、２１０において開始され、ワイヤレスデバイスは、DRXタイマと異なるスケジューリング単位との間の関係を決定する。異なるスケジューリング単位は、複数のヌメロロジーに関連付けられる。ヌメロロジーは、無線通信システムにおけるサブキャリアの周波数間隔構成を示す。説明したDRXタイマは、DRXに関連する様々なタイマ、例えば、onDurationTimer、drx-InactivityTimer、drx-RetransmissionTimer、shortDRX-Cycle（ショートDRXサイクル）, drxShortCycleTimer（drxショートサイクルタイマ）, drx-ULRetransmissionTimer（drxUL再送タイマ）, HARQ RTT timer（HARQ RTTタイマ）, UL HARQ RTT timer（UL HARQ RTTタイマ）, その他などを含むことができるが、これらに限定されない。なお、DRXタイマの時間単位は、他のDRXタイマの時間単位と同じであってもよいし、異なっていてもよい。
【００３４】
いくつかの実施形態では、DRXタイマと異なるスケジューリング単位との間の関係は、DRXタイマが異なるスケジューリング単位に対して整列の必要があるかどうかを示すことができる。したがって、２１０において、ワイヤレスデバイスは、DRXタイマが、異なるスケジューリング単位に対して整列の必要があるかどうかを決定し得る。本開示の実施形態では、DRXタイマが、異なるスケジューリング単位／ヌメロロジーによって共有されるメディアアクセス制御（MAC）エンティティに関連する場合、ネットワークデバイスおよび端末デバイスの両方でDRX関連タイマを維持する労力を単純化するように、ネットワークデバイスおよび端末デバイスがDRXタイマについての共通の理解に達することを可能にするために、これらのDRXタイマを整列させる必要があることが決定され得る。
【００３５】
onDurationTimer、drx-InactivityTimer、drxShortCycleTimer、shortDRX-Cycle、およびlongDRX-CycleStartOffsetなどのDRXタイマに関しては、MACエンティティごとの挙動を定義するために、これらのDRXタイマを、異なるスケジューリング単位に関して整列させて、異なるスケジューリング単位ごとの挙動を定義する必要があると判断することができる。
【００３６】
drx-RetransmissionTimer、drx-ULRetransmissionTimer、HARQ RTTタイマ、およびUL HARQ RTTタイマなどのDRXタイマに関しては、それらがUE内のHARQプロセス挙動ごとの送信ごとに定義するために使用され、異なるヌメロロジーを使用する異なるキャリアが、キャリアアグリゲーション（CA）において１つのMACエンティティを共有するが、異なるHARQエンティティを使用するので、HARQを定義するためにこれらのタイマを整列させないことには合理性がある。
【００３７】
いくつかの実施形態では、onDurationTimer、drx-InactivityTimer、drxShortCycleTimer、shortDRX-Cycle、およびlongDRX-CycleStartOffsetが、整列の必要がある第１のグループに属することが決定されてもよく、これは、これらのDRXタイマの時間単位が、異なるヌメロロジーに関連する異なるスケジューリング単位に独立していることを意味し、一方、drx-RetransmissionTimer、drx-ULRetransmissionTimer、HARQ RTTタイマ、UL HARQタイマが整列の必要がある第２のグループに属することが決定されてもよく、これはこれらのDRXタイマの時間単位が、異なるヌメロロジーに関連付けられた異なるスケジューリング単位に依存していることを意味する。
【００３８】
２２０において、ワイヤレスデバイスは、決定された関係に基づいてDRXタイマの時間単位を決定する。
【００３９】
いくつかの実施形態では、DRXタイマが、onDurationTimer, drx-InactivityTimer、drxShortCycleTimer、shortDRX−Cycle、またはlongDRX−CycleStartOffsetのような第１のグループに属する場合、DRXタイマは、異なるスケジューリング単位に関して整列の必要があるという関係から決定され得る。この場合、ワイヤレスデバイスは、DRXタイマの時間単位を所定の値として決定することができる。所定の値は、絶対値、例えば１msであってもよく、これはヌメロロジーとは無関係である。したがって、onDurationTimerが５に設定されている場合、それは、ワイヤレスデバイスが、オンデュレーションで５msアクティブであり得ることを意味する。
【００４０】
あるいは、ワイヤレスデバイスは、所定のヌメロロジーに基づいて、DRXタイマの時間単位を決定してもよい。所定のヌメロロジーは、ワイヤレスデバイスによって現在使用されているヌメロロジーとは無関係な固定参照ヌメロロジーであってもよい。例えば、SS(同期信号)ブロック送信のための所定のヌメロロジーが１５kHzのサブキャリア間隔を有すると仮定すると、ワイヤレスデバイスが３０kHzのサブキャリア間隔を有するヌメロロジー（以下、「３０kHzヌメロロジー」とも呼ぶ）を現在使用している場合であっても、onDurationTimerが５に設定される場合、時間単位は、３０kHzヌメロロジーに対応する０．５msではなく、１５kHzヌメロロジーに対応する１msであると決定することができる。したがって、DRXタイマは、ワイヤレスデバイスが２．５msではなく、５msの間アクティブであることを示すことが決定され得る。
【００４１】
さらなる代替処理として、ワイヤレスデバイスは、現在使用されているヌメロロジーに基づいて、DRXタイマの時間単位を決定し得る。この場合、ワイヤレスデバイスは、ワイヤレスデバイスのプライマリセル（PCell）およびセカンダリセル（SCell）によって使用されるヌメロロジーに関する情報を取得し、プライマリセルによって使用されるヌメロロジーに基づいてDRXタイマの時間単位を決定することができる。このようにして、時間単位は、現在使用されているヌメロロジーに従って動的に決定することができる。例として、UEが現在１５kHzと３０kHzの両方のヌメロロジーを使用しており、PCellが１５kHzのヌメロロジーを使用していると仮定すると、時間単位は１５kHzのヌメロロジーに従って決定される。したがって、onDurationTimerが５に設定された場合、時間単位は１５kHzヌメロロジーに対応する１msであると判断することができ、UEは５msの間アクティブになる。後に、UEが、PCellにおいて３０kHzのヌメロロジーを使用し、SCellにおいて６０kHzのヌメロロジーを使用する場合、時間単位は、３０kHzのヌメロロジーに対応する０．５msであると決定することができ、UEは、２．５msの間アクティブである。
【００４２】
さらに別の代替処理として、ワイヤレスデバイスは、ネットワークデバイスによって設定された指示（インジケーション）であって、ネットワークデバイスから受信された指示に基づいて、DRXタイマの時間単位を決定することができる。この場合、ワイヤレスデバイスは、端末デバイスであってもよく、時間単位の設定要求をネットワークデバイスに送信してもよい。ネットワークデバイスは、DRXタイマの時間単位を構成し、それを指示を介して端末デバイスに送信することができる。指示は、無線リソース制御（RRC）シグナリングなど、任意の適切なメッセージまたはシグナリングで送信され得る。指示は、ネットワークデバイスによって構成された時間単位の値を示すことができる。したがって、端末デバイスは、DRXタイマの時間単位を、指示によって示される値として決定することができる。
【００４３】
上記の実施形態に加えて、DRXタイマが、例えば、drx-RetransmissionTimer、drx-ULRetransmissionTimer、HARQ RTTタイマ、またはUL HARQ RTTタイマである場合、DRXタイマは、異なるスケジューリング単位に対して整列される必要がないと決定され得る。この場合、DRXタイマは、ワイヤレスデバイスによってスケジュールされたヌメロロジー／TTI長にバンドルされる。異なるヌメロロジー／TTI長に関してDRXタイマについて同じ値を設定することができるが、DRXタイマの時間単位は、ワイヤレスデバイスによって現在使用されているヌメロロジー／TTI持続時間に応じて異なるように解釈することができる。
【００４４】
一実施形態では、時間単位は、キャリア毎に決定されてもよい。すなわち、DRXタイマは、異なるヌメロロジーを使用して、異なるキャリアに対して異なるように解釈され得る。特に、ワイヤレスデバイスは、異なるキャリアによって使用されるヌメロロジーに関する情報を取得し、ヌメロロジーに基づいて、異なるキャリアのためのDRXタイマの時間単位を決定することができる。一例では、UEは、２つのキャリアのキャリアアグリゲーションを使用しており、１５kHzのヌメロロジーがキャリアC１で使用され、３０kHzのヌメロロジーがキャリアC２で使用されている。DRXタイマ、例えば、drx-RetransmissisonTimerが４に設定される場合、DRXタイマの時間単位は、キャリアC１に対して１msであると決定され得る。したがって、DRXタイマは、キャリアC１におけるHARQプロセスのための４msの時間間隔を示すことが決定されることができる。一方、C２のHARQプロセスでは、DRXタイマの時間単位は０．５msであると判断され、DRXタイマは２msの時間間隔を示す。
【００４５】
さらなる実施形態では、時間単位は、ハイブリッド自動再送要求（HARQ）プロセス毎に決定されてもよい。言い換えれば、DRXタイマは、１つのHARQエンティティにおける異なるHARQプロセスに対して異なるように解釈され得る。すなわち、DRXタイマの時間単位は、異なるHARQプロセスにおけるHARQプロセスに関連するスケジューリング単位の構成に依存することができる。より具体的には、ワイヤレスデバイスは、異なるHARQプロセスによって使用されるスケジューリング単位に関する情報を取得し、スケジューリング単位に関する情報に基づいて、異なるHARQプロセスのためのDRXタイマの時間単位を決定することができる。一例では、UEは、１つのキャリアにおいて異なるHARQプロセスのために異なるTTI長でスケジュールされる。SCSが１５kHz (すなわち、１５kHzヌメロロジー）であり、DRXタイマ（例えば、drx-RetransmissisonTimer）が４に設定されると仮定すると、UEが、１４個のOFDMシンボルを含むLTEスケジューリング単位の半分である、HARQプロセスID １のための７個のOFDMシンボルのスケジューリング単位を有する場合、DRXタイマの時間単位は、サブフレーム長の半減、すなわち、０．５msとして決定され得る。したがって、DRXタイマは、HARQプロセスID １について２msの時間間隔を示す。UEが、HARQプロセスID ２について１４-OFDMシンボルTTIでスケジュールされる場合、DRXタイマの時間単位は、１msとして決定され得、DRXタイマは、HARQプロセスID ２について４msの時間間隔を示す。
【００４６】
さらなる実施形態では、時間単位は、異なるHARQプロセスからのHARQプロセスのHARQ送信毎に決定されてもよく、これは、DRXタイマの時間単位が、HARQプロセスにおけるHARQ再送信の構成に依存してもよいことを意味する。言い換えれば、DRXタイマは、１つのHARQエンティティの１つのHARQ方法における異なるHARQ送信試行に対して異なるように解釈され得る。より具体的には、ワイヤレスデバイスは、HARQプロセスにおいて異なるHARQ送信によって使用されるスケジューリング単位に関する情報を取得し、スケジューリング単位に関する情報に基づいて、異なるHARQ送信のためのDRXタイマの時間単位を決定することができる。一例では、UEが、１つのキャリアにおいて同じHARQプロセスのために異なるスケジューリング単位（すなわち、TTI長）でスケジューリングされる場合がある。UEが１５kHzのヌメロロジーを使用しており、DRXタイマ（例えば、drx-RetransmissisonTimer）が４に設定され、UEがHARQプロセスID １のための７個のOFDMシンボル初期送信でスケジュールされている場合、DRXタイマの時間単位は、サブフレーム長の半分、すなわち、０．５msとして決定され得る。したがって、DRXタイマは、HARQプロセスID １の最初の送信のための２msの時間間隔を示す。後に、UEが、同じHARQプロセスID １の再送信のために１４個のOFDMシンボルTTIで再スケジュールされる場合、DRXタイマの時間単位は、１msとして決定され得、DRXタイマは、HARQプロセスID １の再送信のための４msの時間間隔を示す。
【００４７】
２３０において、ワイヤレスデバイスは、時間単位に基づいて、DRXタイマによって示される時間間隔を計算する。本開示の実施形態によれば、時間間隔は、DRXタイマの値、例えば数値の４と、DRXタイマの時間単位、例えば１msとを多重化することによって計算することができる。したがって、時間間隔は、４msとして計算することができる。
【００４８】
この例は、任意の限定を示唆するのではなく、説明のために例示されていることを理解されたい。当業者は、時間単位に基づいて時間間隔を計算する多くの他の方法があることを理解するであろう。例えば、計算は、システム要件、標準規格または仕様、ネットワーク条件、および／または同様のものに従って予め定義された重みまたは係数を導入することによって実行されてもよい。
【００４９】
上記に鑑みて、第１のグループ内のDRXタイマについて、ワイヤレスデバイスは、ワイヤレスデバイスによって使用されるすべてのヌメロロジーについて同じである単一の値として、DRXタイマを解釈することができる。第２のグループのDRXタイマの場合、ワイヤレスデバイスは、ワイヤレスデバイスによって使用される異なるヌメロロジーについて異なる複数の値としてDRXタイマを解釈することができる。
【００５０】
従来の解決策と比較して、DRXタイマと異なるスケジューリング単位との間の関係に基づいてDRXタイマの時間単位を決定することによって、複数のヌメロロジー／TTI長がサポートされる場合に、ネットワークデバイスとDRXタイマによって示される持続時間の端末デバイスとの間で共通の理解に到達することが可能である。このように、ネットワークデバイスと端末デバイスとの間の通信は、DRXタイマの共通の理解に基づいて行うことができる。その結果、伝送効率およびネットワーク性能を効果的に向上させることができる。
【００５１】
図３は、本開示の一実施形態による、DRXタイマの構成を決定する方法３００のフローチャートを示す。方法３００は、方法２００のさらなる実装として考えることができる。図３に関して説明された実施形態において、DRXタイマが異なるスケジューリング単位に関して整列の必要がある場合、ワイヤレスデバイスはPCellにおいて現在使用されているヌメロロジーに基づいてDRXタイマの時間単位を決定する。そうでなければ、ワイヤレスデバイスは、異なるヌメロロジーを使用して、異なるキャリアの時間単位を決定する。方法３００は、任意の制限を示唆するのではなく、例えば、説明されたばかりであることを理解されたい。
【００５２】
３１０において、DRXタイマが異なるスケジューリング単位に対して整列の必要があるかどうかが決定される。そうである場合、方法３００は３２０に進み、ワイヤレスデバイスは、ワイヤレスデバイスのプライマリセルおよびセカンダリセルによって使用されるヌメロロジーについての情報を取得する。３３０において、ワイヤレスデバイスは、PCellにおいて使用されるヌメロロジーに基づいて、DRXタイマの時間単位を決定する。
【００５３】
一方、DRXタイマが異なるスケジューリング単位に関して整列の必要がない場合、３４０において、ワイヤレスデバイスは、異なるキャリアによって使用されるヌメロロジーに関する情報を取得する。３５０において、ワイヤレスデバイスは、ヌメロロジーに基づいて、異なるキャリアのためのDRXタイマの時間単位を決定する。
【００５４】
３６０において、ワイヤレスデバイスは、時間単位に基づいて、DRXタイマによって示される時間間隔を計算する。このブロックは、ブロック２３０と同様であるので、詳細な説明は省略する。
【００５５】
このようにして、DRXタイマは、２つのグループに分類されてもよく、ワイヤレスデバイスは、どのグループに属するかに従ってDRXタイマを異なるように解釈してもよい。第１のグループの場合、ワイヤレスデバイスは、複数のヌメロロジー／スケジューリング単位にわたって同じ絶対時間間隔を有すると解釈することができる。第２のグループの場合、ワイヤレスデバイスは、複数のヌメロロジー／スケジューリング単位にわたって異なる絶対時間間隔を有すると解釈することができる。
【００５６】
本開示の実施形態をよりよく理解するために、従来技術の解決策と本開示の実施形態との間で以下のように比較結果が行われる。図４Aは、従来技術による、異なるヌメロロジーを使用する異なるキャリアのためのDRXタイマの構成の図４００を示す。図４Aに示すように、３つの異なるヌメロロジー、すなわち、それぞれ１５kHz、３０kHz、および６０kHzを使用する３つのキャリアＣ１、Ｃ２、およびＣ３がある。図４Aの例では、異なるキャリアが異なるヌメロロジーを使用する場合、キャリアＣ１、Ｃ２、およびＣ３のDRXタイマは、それぞれ異なるオン期間４０１、４０３、および４０５と、それぞれ異なるスリープ期間４０２、４０４、および４０６とを有する。これは、ネットワークデバイスと端末デバイスとが、キャリアＣ１、Ｃ２、およびＣ３のDRXタイマについて共通の理解を有することができないために不整合の問題を引き起こすか、または端末デバイスが、MACエンティティベースごとではなくキャリアベースごとにDRXを動作させる必要がある場合に、端末デバイスにおいてより多くの電力消費を引き起こすかのいずれかである。
【００５７】
図４Bは、本開示の実施形態による、異なるヌメロロジーを使用する異なるキャリアのためのDRXタイマの構成の図４１０を示す。図４Bの例では、異なるヌメロロジーを使用する異なるキャリアＣ１、Ｃ２、およびＣ３の場合、キャリアＣ１、Ｃ２、およびＣ３のDRXタイマは、それぞれ同じオン期間４１１、４１３、および４１５と、それぞれ同じスリープ期間４１２、４１４、および４１６とを有する。したがって、本開示の実施形態によれば、DRXタイマの共通の理解は、異なるキャリアについて達成され得る。
【００５８】
ここで、本開示の一実施形態による装置５００のブロック図を示す図５を参照する。装置５００は、ワイヤレスデバイス、例えば、ネットワークデバイス１０１、端末デバイス１０２、または任意の他の適切なデバイスにおいて実装され得ることが理解されるであろう。
【００５９】
図示のように、装置５００は、決定ユニット５１０および計算ユニット５２０を含む。決定ユニット５１０は、DRXタイマと異なるスケジューリング単位との間の関係を決定し、決定された関係に基づいてDRXタイマの時間単位を決定するように構成される。計算ユニット５２０は、時間単位に基づいて、DRXタイマによって示される時間間隔を計算するように構成される。
【００６０】
一実施形態では、決定ユニット５１０は、DRXタイマが異なるスケジューリング単位に対して整列の必要があるかどうかを決定するようにさらに構成され得る。
【００６１】
一実施形態では、決定ユニット５１０は、DRXタイマが異なるスケジューリング単位に対して整列の必要があると決定することに応答して、DRXタイマの時間単位を所定の値として決定することと、所定のヌメロロジーに基づいてDRXタイマの時間単位を決定することと、現在使用されているヌメロロジーに基づいてDRXタイマの時間単位を決定することと、ネットワークデバイスから受信された指示に基づいてDRXタイマの時間単位を決定することとのうちの少なくとも１つを実行するようにさらに構成され得、指示は、ネットワークデバイスによって構成された時間単位の値を示す。
【００６２】
一実施形態では、決定ユニット５１０は、ワイヤレスデバイスのプライマリセルおよびセカンダリセルによって使用されるヌメロロジーに関する情報を取得し、プライマリセルによって使用されるヌメロロジーに基づいてDRXタイマの時間単位を決定するようにさらに構成され得る。
【００６３】
一実施形態では、決定ユニット５１０は、DRXタイマが異なるスケジューリング単位に対して整列される必要がないとの決定に応答して、異なるキャリアによって使用されるヌメロロジーに関する情報を取得し、ヌメロロジーに基づいて異なるキャリアのためのDRXタイマの時間単位を決定するようにさらに構成され得る。
【００６４】
一実施形態では、決定ユニット５１０は、DRXタイマが異なるスケジューリング単位に対して整列の必要がないと決定することに応答して、異なるハイブリッド自動再送要求、HARQによって使用されるスケジューリング単位に関する情報を取得し、スケジューリング単位に関する情報に基づいて、異なるHARQプロセスのためのDRXタイマの時間単位を決定するようにさらに構成され得る。
【００６５】
一実施形態では、決定ユニット５１０は、DRXタイマが異なるスケジューリング単位に対して整列の必要がないと決定することに応答して、異なるハイブリッド自動再送要求、HARQ、HARQプロセスにおける送信によって使用されるスケジューリング単位に関する情報を取得し、スケジューリング単位に関する情報に基づいて、異なるHARQ送信のためのDRXタイマの時間単位を決定するようにさらに構成され得る。
【００６６】
装置５００に含まれる構成要素は、方法２００〜３００の動作に対応することを理解されたい。したがって、図２，３を参照して上述したすべての動作および特徴は、装置５００に含まれる構成要素にも同様に適用可能であり、同様の効果を有する。簡略化のため、詳細は省略する。
【００６７】
装置５００に含まれる構成要素は、ソフトウェア、ハードウェア、ファームウェア、またはそれらの任意の組合せを含む様々な方法で実装され得る。一実施形態では、１つまたは複数のユニットは、ソフトウェアおよび／またはファームウェア、たとえば、記憶媒体に格納されたマシン実行可能命令を使用して実装され得る。マシン実行可能命令に加えて、またはマシン実行可能命令の代わりに、装置５００に含まれる構成要素の一部またはすべてを、少なくとも部分的に、１つまたは複数のハードウェアロジック構成要素によって実装することができる。例えば、限定ではなく、使用することができる例示的なタイプのハードウェアロジック構成要素には、フィールドプログラマブルゲートアレイ（FPGA）、特定用途向け集積回路（ASIC）、特定用途向けスタンダード製品（ASSP）、システムオンチップシステム（SOC）、複合プログラマブルロジックデバイス（CPLD）などが含まれる。
【００６８】
本開示の実施形態によれば、ワイヤレスデバイスにおいて実装される装置が提供される。この装置は、間欠受信、DRX、タイマ、および異なるスケジューリング単位の間の関係を決定するための手段と、決定された関係に基づいてDRXタイマの時間単位を決定するための手段と、時間単位に基づいてDRXタイマによって示される時間間隔を計算するための手段とを含む。
【００６９】
一実施形態では、DRXタイマと異なるスケジューリング単位との関係を決定するための手段は、DRXタイマが異なるスケジューリング単位に対して整列の必要があるかどうかを決定するための手段を備える。
【００７０】
一実施形態では、DRXタイマの時間単位を決定するための手段は、DRXタイマが異なるスケジューリング単位に対して整列の必要があると決定することに応答して、DRXタイマの時間単位を所定の値として決定することと、所定のヌメロロジーに基づいてDRXタイマの時間単位を決定することと、現在使用されているヌメロロジーに基づいてDRXタイマの時間単位を決定することと、ネットワークデバイスから受信された指示に基づいてDRXタイマの時間単位を決定することのうちの少なくとも１つを実行するための手段であって、指示がネットワークデバイスによって構成された時間単位の値を示す手段を備える。
【００７１】
一実施形態では、現在使用されているヌメロロジーに基づいてDRXタイマの時間単位を決定するための手段は、ワイヤレスデバイスのプライマリセルおよびセカンダリセルによって使用されるヌメロロジーに関する情報を取得するための手段と、プライマリセルによって使用されるヌメロロジーに基づいてDRXタイマの時間単位を決定するための手段とを備える。
【００７２】
一実施形態では、DRXタイマの時間単位を決定するための手段は、DRXタイマが異なるスケジューリング単位に対して整列の必要がないと決定することに応答して、異なるキャリアによって使用されるヌメロロジーに関する情報を取得するための手段と、ヌメロロジーに基づいて異なるキャリアのためのDRXタイマの時間単位を決定するための手段とを備える。
【００７３】
一実施形態では、DRXタイマの時間単位を決定するための手段は、DRXタイマが異なるスケジューリング単位に対して整列の必要がないと決定することに応答して、異なるハイブリッド自動再送要求、HARQプロセスによって使用されるスケジューリング単位に関する情報を取得するための手段と、スケジューリング単位に関する情報に基づいて、異なるHARQプロセスのためのDRXタイマの時間単位を決定するための手段とを備える。
【００７４】
一実施形態では、DRXタイマの時間単位を決定するための手段は、DRXタイマが異なるスケジューリング単位に対して整列の必要がないと決定することに応答して、異なるハイブリッド自動再送要求、HARQ、HARQプロセスにおける送信によって使用されるスケジューリング単位に関する情報を取得するための手段と、スケジューリング単位に関する情報に基づいて、異なるHARQ送信のためのDRXタイマの時間単位を決定するための手段とを備える。
【００７５】
図６は、本開示の実施形態を実装するのに適したワイヤレスデバイス６００の簡略化されたブロック図を示す。ワイヤレスデバイス６００は、例えば、ネットワークデバイス１０１または端末デバイス１０２の少なくとも一部として実装され得ることが理解されるであろう。
【００７６】
図示のように、ワイヤレスデバイス６００は、通信手段６３０および処理手段６５０を含む。処理手段６５０は、データプロセッサ（DP）６１０、DP ６１０に結合された記憶装置（MEM）６２０を含む。通信手段６３０は、処理手段６５０内のDP ６１０に結合される。記憶装置６２０は、プログラム（PROG）６４０を記憶する。通信手段６３０は、信号を送信／受信するためのトランシーバとして実装され得る他のデバイスとの通信のためのものである。
【００７７】
いくつかの実施形態では、処理手段６５０は、間欠受信、DRX、タイマ、および異なるスケジューリング単位の間の関係を決定し、決定された関係に基づいてDRXタイマの時間単位を決定し、時間単位に基づいてDRXタイマによって示される時間間隔を算出するように構成され得る。
【００７８】
プログラム ６４０は、関連するDP ６１０によって実行されると、方法２００〜３００を用いて本明細書で説明されるように、ワイヤレスデバイス６００が本開示の実施形態に従って動作することを可能にするプログラム命令を含むと仮定される。本明細書の実施形態は、ワイヤレスデバイス６００のDP ６１０によって実行可能なコンピュータソフトウェアによって、またはハードウェアによって、またはソフトウェアとハードウェアとの組合せによって実装され得る。データプロセッサ６１０と記憶装置６２０の組合せは、本開示の様々な実施形態を実装するように適合された処理手段６５０を形成することができる。
【００７９】
記憶装置６２０は、ローカル技術環境に適した任意のタイプのものとすることができ、非限定的な例として、半導体ベースの記憶装置、磁気記憶装置およびシステム、光記憶装置およびシステム、固定記憶装置、およびリムーバブル記憶装置など、任意の適切なデータ記憶技術を使用して実装することができる。ワイヤレスデバイス６００には１つのMEMのみが示されているが、ワイヤレスデバイス６００にはいくつかの物理的に異なる記憶装置モジュールがあってもよい。DP ６１０は、ローカル技術環境に適した任意のタイプのものとすることができ、非限定的な例として、汎用コンピュータ、専用コンピュータ、マイクロプロセッサ、デジタル信号プロセッサ（DSP）、およびマルチコアプロセッサアーキテクチャに基づくプロセッサのうちの１つまたは複数を含むことができる。ワイヤレスデバイス６００は、メインプロセッサを同期させるクロックに時間的に従属する特定用途向け集積回路チップなどの複数のプロセッサを有することができる。
【００８０】
一般に、本開示の様々な実施形態は、ハードウェアまたは専用回路、ソフトウェア、ロジック、またはそれらの任意の組合せで実装することができる。いくつかの態様は、ハードウェアで実装されてもよく、他の態様は、コントローラ、マイクロプロセッサ、または他のコンピューティングデバイスによって実行されてもよいファームウェアまたはソフトウェアで実装されてもよい。本開示の実施形態の様々な態様は、ブロック図、フローチャートとして、または他の何らかの図形表現を使用して、図示および説明されるが、本明細書で説明されるブロック、装置、システム、技術、または方法は、非限定的な例として、ハードウェア、ソフトウェア、ファームウェア、専用回路もしくはロジック、汎用ハードウェアもしくはコントローラ、もしくは他のコンピューティングデバイス、またはそれらの何らかの組合せで実装され得る。
【００８１】
例として、本開示の実施形態は、ターゲット実プロセッサまたは仮想プロセッサ上のワイヤレスデバイスにおいて実行される、プログラムモジュールに含まれるものなどのマシン実行可能命令の一般的なコンテキストで説明することができる。一般に、プログラムモジュールは、特定のタスクを実行するか、または特定の抽象データ型を実装するルーチン、プログラム、ライブラリ、オブジェクト、クラス、成分、データ構造などを含む。プログラムモジュールの機能は、様々な実施形態で所望されるように、プログラムモジュール間で組み合わせるか、または分割することができる。プログラムモジュールのためのマシン実行可能命令は、ローカルまたは分散デバイス内で実行されてもよい。分散された装置では、プログラムモジュールは、ローカル記憶媒体とリモート記憶媒体の両方に配置することができる。
【００８２】
本開示の方法を実行するためのプログラムコードは、１つまたは複数のプログラミング言語の任意の組合せで書くことができる。これらのプログラムコードは、汎用コンピュータ、専用コンピュータ、または他のプログラマブルデータ処理装置のプロセッサまたはコントローラに提供されてもよく、その結果、プログラムコードは、プロセッサまたはコントローラによって実行されると、フローチャートおよび／またはブロック図で指定された機能／動作を実施させる。プログラム・コードは、完全にマシン上で、部分的にマシン上で、スタンドアロン・ソフトウェア・パッケージとして、部分的にマシン上で、部分的にリモート・マシン上で、または完全にリモート・マシンまたはサーバ上で実行することができる。
【００８３】
上記のプログラムコードは、命令実行システム、装置、またはデバイスによって、またはそれに関連して使用するためのプログラムを含む、または格納することができる任意の有形媒体であり得るマシン可読媒体上で実施することができる。マシン可読媒体は、マシン可読信号媒体またはマシン可読記憶媒体とすることができる。マシン可読媒体は、電子、磁気、光学、電磁気、赤外線、もしくは半導体のシステム、装置、もしくはデバイス、または前述の任意の適切な組合せを含むことができるが、これらに限定されない。マシン可読記憶媒体のより具体的な例は、１つまたは複数のワイヤを有する電気接続、ポータブルコンピュータディスケット、ハードディスク、ランダムアクセス記憶装置（RAM）、読み取り専用記憶装置（ROM）、消去可能プログラマブル読み取り専用記憶装置（EPROMまたはフラッシュ記憶装置）、光ファイバ、ポータブルコンパクトディスク読み取り専用記憶装置（CD-ROM）、光記憶デバイス、磁気記憶デバイス、または前述の任意の適切な組合せを含む。
【００８４】
本開示のコンテキストでは、ワイヤレスデバイスは、コンピュータシステムによって実行される、プログラムモジュールなどのコンピュータシステム実行可能命令の一般的なコンテキストで実装され得る。一般に、プログラムモジュールは、特定のタスクを実行するか、または特定の抽象データ型を実装するルーチン、プログラム、オブジェクト、コンポーネント、ロジック、データ構造などを含むことができる。ワイヤレスデバイスは、通信ネットワークを介してリンクされたリモート処理デバイスによってタスクが実行される分散クラウドコンピューティング環境で実施することができる。分散クラウド・コンピューティング環境では、プログラム・モジュールは、メモリ記憶装置を含むローカル・コンピュータ・システム記憶媒体およびリモート・コンピュータ・システム記憶媒体の両方に配置することができる。
【００８５】
さらに、動作は特定の順序で示されているが、これは、望ましい結果を達成するために、そのような動作が、示された特定の順序で、または連続した順序で実行されること、またはすべての示された動作が実行されることを必要とするものとして理解されるべきではない。特定の状況では、マルチタスキングおよび並列処理が有利であり得る。同様に、いくつかの特定の実装の詳細が上記の議論に含まれるが、これらは、本開示の範囲に対する限定として解釈されるべきではなく、むしろ、特定の実施形態に特定であり得る特徴の説明として解釈されるべきである。別個の実施形態のコンテキストで説明される特定の特徴はまた、単一の実施形態において組み合わせて実装されてもよい。逆に、単一の実施形態のコンテキストで説明される様々な特徴は、複数の実施形態において別々に、または任意の適切なサブコンビネーションで実装されてもよい。
【００８６】
本開示は、構造的特徴および／または方法論的動作に特定の言葉で説明されてきたが、添付の特許請求の範囲で定義される本開示は、必ずしも、上述の特定の特徴または動作に限定されないことを理解されたい。むしろ、上述の特定の特徴および動作は、特許請求の範囲を実施する例示的な形態として開示される。
【図１】
2022000965.tif 000003
【図２】
2022000965.tif 000004
【図３】
2022000965.tif 000005
【図４Ａ】
2022000965.tif 000006
【図４Ｂ】
2022000965.tif 000007
【図５】
2022000965.tif 000008
【図６】
2022000965.tif 000009
【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
ワイヤレスデバイスにおいて実施される方法であって、
DRX（間欠受信）タイマの時間単位を複数の異なるヌメロロジーのうちの一つに基づき決定することと、
前記時間単位に基づく前記DRXタイマによって示される時間間隔を決定することであって、前記時間間隔は前記DRXタイマの時間の持続時間に関連付けられている、ことと
を有する方法。
【請求項２】
請求項１に記載の方法であって、前記DRXタイマの時間単位を複数の異なるヌメロロジーのうちの一つに基づき決定することは、さらに、
複数の異なるヌメロロジーのうちの一つに基づき複数の異なるスケジューリング単位のうちの一つの情報を取得することと、
前記複数の異なるスケジューリング単位のうちの一つの情報に基づき前記DRXタイマの時間単位を決定することと、
を有する方法。
【請求項３】
請求項１または２に記載の方法であって、前記DRXタイマの時間単位は、複数のHARQプロセスにおけるハイブリッド自動再送要求であるHARQプロセスに関連付けられている、方法。
【請求項４】
請求項１または２に記載の方法であって、前記DRXタイマの前記時間単位は、複数のHARQプロセスにおけるHARQプロセスの再送信に関連付けられている、方法。
【請求項５】
請求項１に記載の方法であって、前記DRXタイマは、
HARQ RTT タイマ、
drx-RetransmissionTimer、
drx-ULRetransmissionTimer
のうちの一つである、方法。
【請求項６】
請求項１に記載の方法であって、前記複数の異なるヌメロロジーは、それぞれの複数のキャリアに関連付けられ、前記DRXタイマの時間単位は、前記複数のキャリア内のキャリアに関連付けられる、方法。
【請求項７】
ワイヤレスデバイスであって、
プロセッサと、
前記プロセッサに結合され、命令を格納する記憶装置とを有し、前記命令は前記プロセッサによって実行されると前記ワイヤレスデバイスにアクションを実行させるものであり、前記アクションは、
DRX（間欠受信）タイマの時間単位を複数の異なるヌメロロジーのうちの一つに基づき決定することと、
前記時間単位に基づく前記DRXタイマによって示される時間間隔を決定することであって、前記時間間隔は前記DRXタイマの時間の持続時間に関連付けられている、こととを有するワイヤレスデバイス。
【請求項８】
請求項７に記載のワイヤレスデバイスであって、前記DRXタイマの時間単位を複数の異なるヌメロロジーのうちの一つに基づき決定することは、さらに、
複数の異なるヌメロロジーのうちの一つに基づき複数の異なるスケジューリング単位のうちの一つの情報を取得することと、
前記複数の異なるスケジューリング単位のうちの一つの情報に基づき前記DRXタイマの時間単位を決定することと、
を有するワイヤレスデバイス。
【請求項９】
請求項７または８に記載のワイヤレスデバイスであって、前記DRXタイマの時間単位は、複数のHARQプロセスにおけるハイブリッド自動再送要求であるHARQプロセスに関連付けられている、ワイヤレスデバイス。
【請求項１０】
請求項７または８に記載のワイヤレスデバイスであって、前記DRXタイマの前記時間単位は、複数のHARQプロセスにおけるHARQプロセスの再送信に関連付けられている、ワイヤレスデバイス。
【請求項１１】
請求項７に記載のワイヤレスデバイスであって、前記DRXタイマは、
HARQ RTT タイマ、
drx-RetransmissionTimer、
drx-ULRetransmissionTimer
のうちの一つである、ワイヤレスデバイス。
【請求項１２】
請求項７に記載のワイヤレスデバイスであって、前記複数の異なるヌメロロジーは、それぞれの複数のキャリアに関連付けられ、前記DRXタイマの時間単位は、前記複数のキャリア内のキャリアに関連付けられる、ワイヤレスデバイス。
【請求項１３】
少なくとも１つのプロセッサに、請求項１から６のいずれか１項に記載の方法を実行させる、コンピュータプログラム。
【外国語明細書】
2022000965000001.pdf